(57)【要約】本発明は、液体透過性上部シート（１０）、液体不透過性下部シート（１１）及びそれらの間に配置された吸収体（１２）を含む、パンツ型の失禁装置又はパンツおむつの如き吸収物品であって、吸収体（１２）が二つの縦方向側縁（１３，１４）及び二つの横方向側縁（１５，１６）を持つ細長い形状を有し、物品が二つの縦方向側縁（１，２）、縦方向中央線（５）、横方向中央線（６）、通常の使用中着用者の腹部に対して横たわるか又は着用者の腹部の近くに横たわることを意図される前方端部分（１７）、通常使用中着用者の背中の下部に対して横たわるか又は着用者の背中の下部の近くに横たわることを意図される後方端部分（１８）、及びそれらの間に横たわる股部分（１９）を有し、後方端部分（１８）及び股部分（１９）の隣接部分は横方向弾性システム（２５）及び後方脚弾性システム（３１）を有し、後方脚弾性システム（３１）が股部分（１９）の後方部における物品の脚切欠きに沿って物品の二つの縦方向側縁（１，２）の間を走りかつ物品の横方向中央線（６）に対して本質的に平行に股部分（１９）と交差するものに関する。物品は吸収体（１２）の各側に液体の一時的貯蔵のためのポケット（３５，３６）を有し、ポケット（３５，３６）の範囲は吸収体（１２）の縦方向側縁（１３，１４）、横方向弾性システム（２５）及び後方脚弾性システム（３１）によって制限される。【選択図】図２
2005507287.tif 000002
【特許請求の範囲】
【請求項１】
液体透過性上部シート（１０）、液体不透過性下部シート（１１）及びそれらの間に配置された吸収体（１２）を含む、パンツ型の失禁装置又はパンツおむつの如き吸収物品であって、吸収体（１２）が二つの縦方向側縁（１３，１４）及び二つの横方向側縁（１５，１６）を持つ細長い形状を有し、物品が二つの縦方向側縁（１，２）、縦方向中央線（５）、横方向中央線（６）、通常の使用中着用者の腹部に対して横たわるか又は着用者の腹部の近くに横たわることを意図される前方端部分（１７）、通常使用中着用者の背中の下部に対して横たわるか又は着用者の背中の下部の近くに横たわることを意図される後方端部分（１８）、及びそれらの間に横たわる股部分（１９）を有し、後方端部分（１８）及び股部分（１９）の隣接部分は横方向弾性システム（２５）及び後方脚弾性システム（３１）を有し、後方脚弾性システム（３１）が股部分（１９）の後方部における物品の脚切欠きに沿って物品の二つの縦方向側縁（１，２）の間を走りかつ物品の横方向中央線（６）に対して本質的に平行に股部分（１９）と交差するものにおいて、物品が吸収体（１２）の各側に液体の一時的貯蔵のためのポケット（３５，３６）を有し、ポケット（３５，３６）の範囲が吸収体（１２）の縦方向側縁（１３，１４）、横方向弾性システム（２５）及び後方脚弾性システム（３１）によって制限されることを特徴とする吸収物品。
【請求項２】
横方向弾性システム（２５）が物品の脚切欠きで股部分（１９）の後方部において後方脚弾性システム（３１）の少なくとも一部と交差することを特徴とする請求項１に記載の吸収物品。
【請求項３】
物品の縦方向中央線（５）に沿って測定された後方脚弾性システム（３１）と横方向弾性システム（２５）の間の距離Ａが２９〜８１ｍｍであることを特徴とする請求項１又は２に記載の吸収物品。
【請求項４】
横方向弾性システムがその非伸長長さの１．８倍にまで伸長されることができることを特徴とする請求項１〜３のいずれか一項に記載の吸収物品。
【請求項５】
横方向弾性システム（３４）が所定の相互間隔を有する本質的に平行な多数の弾性糸からなることを特徴とする請求項１〜４のいずれか一項に記載の吸収物品。
【請求項６】
横方向弾性システムが少なくとも第二後方弾性システム（２３）及び第三後方弾性システム（３４）からなる特徴とする請求項１〜５のいずれか一項に記載の吸収物品。
【請求項７】
第二後方弾性システム（２３）の弾性糸の間の間隔が第三後方弾性システム（３４）の糸の間の間隔より小さいことを特徴とする請求項６に記載の吸収物品。
【請求項８】
吸収体（１２）が少なくとも第一及び第二吸収層（４２，４３）からなり、第一吸収層（４２）が第二吸収層（４３）より縦方向において長いこと、及び第二吸収層（４３）が縦方向において少なくとも１６ｃｍの長さであることを特徴とする請求項１〜７のいずれか一項に記載の吸収物品。
【請求項９】
物品が前方脚弾性システム（３０）も含み、股部分（１９）における後方脚弾性システム（３１）と前方脚弾性システム（３０）の間の距離が少なくとも１６ｃｍであることを特徴とする請求項１〜８のいずれか一項に記載の吸収物品。
【発明の詳細な説明】
【０００１】
技術分野
本発明は、液体透過性上部シート、液体不透過性下部シート及びそれらの間に配置された吸収体を含む、パンツ型の失禁装置又はパンツおむつの如き吸収物品であって、吸収体が二つの縦方向側縁及び二つの横方向側縁を持つ細長い形状を有し、物品が二つの縦方向側縁、縦方向中央線、横方向中央線、通常の使用中着用者の腹部に対して横たわるか又は着用者の腹部の近くに横たわることを意図される前方端部分、通常使用中着用者の背中の下部に対して横たわるか又は着用者の背中の下部の近くに横たわることを意図される後方端部分、及びそれらの間に横たわる股部分を有し、後方端部分及び股部分の隣接部分は横方向弾性システム及び後方脚弾性システムを有し、後方脚弾性システムが股部分の後方部における物品の脚切欠きに沿って物品の二つの縦方向側縁の間を走りかつ物品の横方向中央線に対して本質的に平行に股部分と交差する吸収物品に関する。
【０００２】
背景技術
多数の異なる種類の失禁があり、それらの一つが応力失禁（ｓｔｒｅｓｓ  ｉｎｃｏｎｔｉｎｅｎｃｅ）として知られるものである。応力失禁は応力が生じたとき、例えば罹患者が咳をしたり、くしゃみをしたり、笑ったり、飛びはねたり又は重いものを持ったりしたとき、即ちある筋肉が伸長されたときに尿漏出が起こりうることを意味する。応力失禁には多くの原因があり得、多数の研究が領域内で行われている。応力失禁の一つの原因は尿道を定位置に保持する筋肉が弱くなることであり得る；原則として尿道は体にほとんど固定されていないと言われている。このことは特に尿道が腹腔中の圧力の増大にさらされたとき、例えば人が笑ったとき尿道は定位置からすべることがあり得るということを意味する。膀胱は腹腔内に位置しており、もし増大された圧力にさらされると筋肉は通常抵抗することができる。しかし、これは応力失禁においては事実でない。
【０００３】
上述したような応力失禁の結果、尿の漏出はそれが起こる瞬間、比較的強烈に感じられるかもしれない。即ち、数秒の間に比較的多量の尿、５０ｃｌもの多量の尿すら通過するかもしれない。これはもちろん失禁装置及び他の吸収物品に多くの要求を設定する。応力失禁漏出の問題を解決する一つの方法は吸収物品の隆起された漏出バリヤとして知られるもの（起立するギャザーとも称される）を有することである。
【０００４】
漏出バリヤは大部分の場合、脚弾性体の内側に配置され、かつ大部分の場合、液体不透過性材料、例えば不織布からなるが、液体透過性材料から作られることもできる。漏出バリヤは通常、吸収体と共に縦方向に延び、かつウェブによって形成され、その一方の縦方向縁は吸収物品に取付られており、その他方の自由端は着用者に対して横たわることを意図されている。自由縁はウェブの縁に折りたたまれた弾性糸によって弾性的にギャザーを付けられている。漏出バリヤ（又は液体バリヤとも称されるもの）を有する吸収物品の例は例えばＷＯ−Ａ１−９２０７５３３，ＵＳ  ４６９５２７８，ＵＳ  ５０６４４８９，ＳＥ−Ｔ３−０２６４２３８及びＧＢ−Ａ−２１８８５３２に記載されている。
【０００５】
これらの隆起された漏出バリヤを有さない吸収物品の場合、その問題はもちろんずっと大きい。これらの物品においては大部分の場合、これらの一時的尿放出の間、漏出に対するバリヤ又は保護として脚弾性体しか存在しない。隆起された漏出バリヤを有さない吸収物品にとってのこの問題の本質を解決する他の方法は、漏出が起こりえないほど十分な適合性を生じさせることである。
【０００６】
一般的な試みは液体透過性上部シートを通って下に横たわる吸収体への可能な限り迅速な吸収を行わせることである。しかし、どれほど迅速に吸収が起こりうるかについて物理的な制限がある。
【０００７】
ＵＳ  ５６３４９１７、Ｆｕｊｉｏｋａは多数の異なる可能な脚弾性体組合せを有する吸収物品を記述する。一つの特定の実施態様において、第一弾性体部分は脚切欠きに沿って走り、股部分と水平に交差する。同様に、第二弾性体部分は対向する脚切欠きに沿って走り、股部分と水平に交差する。第一及び第二弾性体部分は股部分の中央部において「Ｕ」及び逆さまの「Ｕ」を描く。第一及び第二弾性部分は股部分の中央部において距離「Ｄ」によって相互に分離されるべきである（図７参照）。Ｆｕｊｉｏｋａは主要な問題に触れているが、この文献は改良の余地を有する多数のゆるい端を残している。
【０００８】
ＷＯ  ９６／１１６５７  Ｋａｗａｇｕｃｈｉは「ショーツ」型の吸収物品を記述する。この文献は二つの発明を含み、これらは一緒になって物品が排泄物の重みのために着用者からずれ落ちて漏出が生ずることに関連する問題を解決するであろうと述べている。この発明は良好な適合性の問題を解決すること及び物品の膨潤を防止することであるとも述べられている。このための解決策は、「体包囲部分」、即ち腰、において多数の弾性糸を有させることと組合せて、湿潤領域に又は湿潤領域の近くに、即ち物品の前部分に多数の弾性糸を、それらが腰開口に近くなるほどそれらの間の距離が小さくなるように有させることである。
【０００９】
この種の物品が遭遇する他の問題は吸収体が圧力に供されることによる漏出、例えば着用者が座っているか横たわっているときの漏出である。尿はその時、吸収体の外に押し戻されることがあり得る。これは特にもし尿排泄が最近起こり、尿が吸収体に広がって全吸収体の能力が利用されるのに時間がない場合そうである。尿排泄が起こった瞬間に着用者によって吸収体が圧力に供されることも起こり得る。このことは吸収体が瞬間的にいくらか損なわれた吸収能力を有することを意味し、それはある形態の補償を必要とする。
【００１０】
それ故、良好な適合性を有することは常に十分であるわけではない。上述の文献は様々な弾性体パターンを作り出すことによって漏出を防止するための適合性と関連した問題を解決するための様々な方法の試みを示す。しかし、極めて多くの未解決の問題が残っており、弾性は完全でなく、良好な適合性は著しい瞬間尿排泄が吸収体によって吸収されることを必ずしも意味しない。特にもし吸収体が圧力にさらされるか又は吸収体が尿排泄の直後に圧力にさらされるのならそうである。文献は応力失禁として知られるものが生じ得るような著しい瞬間尿排泄の問題に立ち入っていない。それ故、問題に対する最適の解決策はこれらの瞬間尿排泄のための保護を与えることのみならず、良好な適合性が維持されるか又は改良すらされることを確実にすることでもあるべきである。また、それは工業的生産のために比較的単純に実行することができるか又は好ましくは問題に対する解決策自体に加えて着用者に付加価値を与えるべきである。
【００１１】
発明の開示
本発明により、導入部で言及された種類の吸収物品が製造され、この物品は既知のかかる物品に関連する問題を本質的に除去する。本発明によって作られた製品は物品が吸収体の各側に液体の一時的貯蔵のためのポケットを有し、ポケットの範囲が吸収体の縦方向側縁、横方向弾性システム及び後方脚弾性システムによって制限されることを主な特徴とする。
【００１２】
後方弾性システムは物品が薄くて柔軟であるように吸収体の最外部を引っ張る。これは物品が使用中、衣服の下で見えないということを意味する。また、これは適合性を改良し、物品が下着の一つのように横たわるということを意味する。横方向弾性システムは吸収体の各側にポケットを作る。横方向弾性システムは瞬間的に多量に放出された尿をポケット中に案内して保持するように設計されている。これは弾性体がポケットの範囲を規定して吸収体のみが液体を吸収できるようにするためもたらされる。これはとりわけ横方向弾性システムが物品の脚切欠きで股部分の後方部において後方脚弾性システムの少なくとも一部と交差するという事実によって実行されることができる。
【００１３】
一実施態様によれば物品の縦方向中央線に沿って測定された後方脚弾性システムと横方向弾性システムの間の距離Ａ（図面の図４との関連で以下記述される）はポケットの設計のために決定的である。この距離は適合性及び機能が最適化されるためには好ましくは２９〜８１ｍｍ、より好ましくは３４〜７１ｍｍ、最も好ましくは３９〜６１ｍｍである。横方向弾性システムは例えば図１に示すように多数の異なるシステムからなることができ、そこでは横方向弾性システムは三つの異なる弾性システムを含む。横方向弾性システムが多数の糸、又は個別の糸、一以上の弾性バンド、弾性フィルム、別個の弾性部分又はそれらの同類物であることも本発明の範囲内である。
【００１４】
物品が使用するのに快適であるがなお堅固な適合性を与えるようにするため、横方向弾性システムがその非伸長長さの１．８倍にまで伸長されることができることが重要である。非伸長長さは弾性システムが収縮状態にあるときの長さ、即ち寄せ集められた状態にあるときの長さを意味する。
【００１５】
一実施態様によれば、横方向弾性システムは所定の相互間隔を有する本質的に平行な多数の弾性糸からなる。弾性糸はプロセスエンジニアリングの観点で作用するのに有利であり、また快適さと良好な適合性を与えることが見出されている。所定間隔は糸が相互から不規則な間隔で横たわらないようにされていることを意味する。糸は異なる間隔を有する異なる領域を持つことができるが、各領域内では糸は相互から同一の間隔を有する。全ての糸は相互から同一の間隔を有することもできる。
【００１６】
横方向弾性システムが柔軟でかつ液体受入れ空間の一部を構成することを可能とするため、多量の液体が通過するときに弾性システムが瞬間的に伸長される、つまり引き伸ばされることが重要である。それ故、それは股部分の周りでは腰の周りほど堅固な適合であるべきではない。何故ならそれはそこでは物品を定位置に保持させるという異なる機能を有しているからである。それ故、横方向弾性システムは少なくとも第二後方弾性システム及びもし適切なら第三後方弾性システムからなることが有利である。第二及び第三弾性システムは異なる弾性を有することができ、これは弱い弾性体、又は例えば弾性領域を走る少数の弾性糸により達成されることができる。それはまた、第二後方弾性システムの弾性糸の間の間隔を第三後方弾性システムの糸の間の間隔より小さくすることによって達成されることができる。
【００１７】
瞬間的に放出された尿が吸収体によって取り扱われることが重要なので、それは容易にアクセス可能であるべきであるのみならず、利用可能な吸収層内の液体を分配することができる正しい種類の吸収層であるべきである。様々な層中の吸収体は液体透過性上部シートの隣の液体分配層で通常構成される。液体分配層は大部分の場合、ある程度の貯蔵能力を有する層に続き、この層はそれにもかかわらず追加的に液体を水平に分配することができ、隣接する貯蔵層へと垂直にも分配することができる。
【００１８】
吸収体は少なくとも第一及び第二吸収層からなり、第一吸収層は第二吸収層より縦方向において長く、第二吸収層は縦方向に少なくとも１６ｃｍの長さであるので、第二吸収層は股部分の後方部の及び後方端部分の吸収体の各側に形成されたポケット中の液体にさらされることができる。一実施態様において物品は前方脚弾性システムも含み、股部分における後方脚弾性システムと前方弾性システムの間の距離は少なくとも１６ｃｍである。
【００１９】
図面の簡単な記述
本発明は添付の図面に示される図を参照して以下一層詳細に記述されるであろう。図中、
図１は液体不透過性側に向かって見た伸張状態におけるパンツ型の失禁装置を示す。
図２は液体透過性側に向かって見た図１の失禁装置を示す。
図３ａ及び３ｂは脚弾性体及び吸収体の構造を示す。
図４は図１及び２における失禁装置の部分図を示す。
【００２０】
実施態様の記述
本発明はパンツおむつ、パンツ型の失禁装置又はそれらの同類物の如き吸収物品に関する。それは主として以下に記述する失禁装置である。
【００２１】
図１において広げられた状態で外側から見られている物品は二つの縦方向側縁１，２、前方横方向側縁３、後方横方向側縁４、縦方向中央線５、及び横方向中央線６を有する。後方部７は物品の横方向中央線６と物品の後方横方向側縁４の間に延び、前方部８は物品の横方向中央線６と物品の前方横方向側縁３の間に延びる。
【００２２】
図では液体不透過性下部シート１１も見える。液体不透過性下部シート１１は液体不透過性プラスチックフィルム、不織布層、不織布積層体又はそれらの同類物からなるか又はこれらを含む。下部シート１１は液体阻止材料で被覆されたものであることができるか又は液体透過に対して抵抗する能力を有する柔軟な材料の層であることができる。もし液体不透過性下部シート１１が通気可能であれば、つまりシートを通る水蒸気の通過を可能にするのであれば一般的に有利である。
【００２３】
物品は物品の前方部８に位置する前方端部分１７、物品の後方部７に位置する後方端部分１８、及びそれらの間に横たわる股部分１９を有する。前方端部分１７は通常の使用中着用者の腹部に対して横たわるか又は着用者の腹部の近くに横たわることを意図されている。後方端部分１８は通常の使用中着用者の背中の下部に対して横たわるか又は着用者の背中の下部の近くに横たわることを意図されている。
【００２４】
前方端部分１７は第一前方弾性システム２０及び第二前方弾性システム２１を有する。第一前方弾性システム２０は本質的に物品の前方横方向側縁３に沿って走る。第二前方弾性システム２１は股部分１９と第一前方弾性システム２０の間で物品の横方向中央線６に対して本質的に平行に走る。
【００２５】
後方端部分１８は第一後方弾性システム２２及び第二後方弾性システム２３を有する。第一後方弾性システム２２は本質的に物品の後方横方向側縁４に沿って走る。第二後方弾性システム２３は股部分１９と第一後方弾性システム２２の間で物品の横方向中央線６に対して本質的に平行に走る。
【００２６】
第一及び第二弾性システム２０，２１，２２，２３は多数の本質的に平行な弾性糸からなり、これらは上述の通り物品の横方向中央線６に対して本質的に平行に走る。物品が用いられるとき、前方及び後方端部分１７，１８の縦方向側縁１，２は一緒に結合されてかくして物品はパンツ形状をとる。それ故、大雑把に述べると、第一及び第二弾性システム２０，２１，２２，２３は結合部での中断を除くと使用中着用者の腰の周りに連続的に走る。
【００２７】
物品は第一前方脚弾性システム３０及び第一後方脚弾性システム３１を有し、かつ第二脚弾性システム３２も有する。
【００２８】
図１によれば第一前方脚弾性システム３０は多数の弾性糸からなる。弾性糸は使用中着用者の脚を取り巻くことを意図されるほとんどＵ字型の脚切欠きに沿って前方端部分１７の縦方向縁１から脚切欠きが物品の縦方向中央線５と共に縦方向に走るように曲がる点まで走る。この点で第一前方脚弾性システム３０の糸は物品の横方向中央線６に対して本質的に平行な方向に物品の第一縦方向側縁１から物品の第二縦方向側縁２上の対向点まで走る。弾性糸は次に前方端部分１７の第二縦方向側縁２に対応する様式でＵ字型の脚切欠きに従う。
【００２９】
図１によれば第一後方脚弾性システム３１は多数の弾性糸からなる。弾性糸は使用中着用者の脚を取り巻くことを意図されるほとんどＵ字型の脚切欠きに沿って後方端部分１８の縦方向縁１から脚切欠きが物品の縦方向中央線５と共に縦方向に走るように曲がる点まで走る。この点で第一後方脚弾性システム３１の糸は物品の横方向中央線６に対して本質的に平行な方向に物品の第一縦方向側縁１から物品の第二縦方向側縁２上の対向点まで走る。弾性糸は次に後方端部分１８の第二縦方向側縁２に対応する様式でＵ字型の脚切欠きに従う。
【００３０】
図１によれば第二脚弾性システムは多数の弾性糸からなり、これらは脚切欠きに沿って、即ち第一脚弾性システム３０，３１が走っていない股部分１９の脚切欠きでの物品の縦方向側縁１，２の部分に沿って走る。前記弾性システム３２は着用者の脚に関して最適の適合性を達成するために物品の縦方向中央線５に関してわずかに凹状の形状を有する。第二脚弾性システム３２は吸収芯１２（図２及び図３参照）と共に「ユニット」として適用される。
【００３１】
物品は追加の第三後方弾性システム３４も有し、これは物品の横方向中央線６に対して本質的に平行に走りかつ横方向中央線６に対して本質的に平行な後方脚弾性システム３１の横部分と第二後方弾性システム２３の間に位置され、かくしてそれは股部分１９の縦方向側縁１，２に沿って少なくとも第一後方脚弾性システム３１の一部と交差する。第三後方弾性システム３４は吸収体１２及び後方脚弾性体３１と共に吸収体１２の各側上に液体受入れポケット３５，３６を形成し、その範囲は吸収体１２の縦方向側縁１３，１４、第三弾性システム３４及び第一後方脚弾性システム３１によって制限される。これは着用者が例えばくしゃみをしたりすることにより尿を多量に排泄する場合、液体のための一時的な貯蔵空間があることを意味する。
【００３２】
第一、第二及び第三弾性システムは図２に示される液体不透過性下部シート１１と内側上部シート２６の間に位置される。
【００３３】
図２において物品は内側、即ち使用中着用者の性器に面することを意図される側から見られている。それ故、図２の物品は二つの縦方向側縁１，２及び二つの横方向側縁３，４、縦方向中央線５及び横方向中央線６を有する。後方部７は物品の横方向中央線６と物品の一つの横方向側縁４の間に延び、前方部８は物品の横方向中央線６と物品の他の横方向側縁３の間に延びる。
【００３４】
上述の通り、物品は物品の前方部８に位置される前方端部分１７、物品の後方部７に位置される後方端部分１８及びそれらの間に横たわる股部分１９を有する。前方端部分１７は通常の使用中着用者の腹部に対して横たわるか又は着用者の腹部の近くに横たわることを意図される。後方端部分１８は通常の使用中着用者の背中の下部に対して横たわるか又は着用者の背中の下部の近くに横たわることを意図される。
【００３５】
図２の物品は内側液体不透過性上部シート２６（好ましくは通気性のもの）及び吸収体１２を有する（図３ａ及び３ｂにも記述される）。吸収体１２は二つの縦方向側縁１３，１４及び二つの横方向側縁１５，１６を持つ細長い形状を有し、液体透過性上部シート１０を有する。吸収体は第一及び第二吸収層４２も有し、第一吸収層の縦方向側縁１３，１４は吸収体の縦方向側縁１３，１４と等価である。吸収体１２は液体透過性上部シート１０と第二吸収層４３の間に位置された液体受入れ層４４（液体取得層とも称する）も含む。吸収体１２は裏打ちシート４１も含む。これは液体不透過性であることができるが、必ずしもそうである必要はない。何故なら物品は液体不透過性下部シート１１及び液体不透過性内側上部シート２６を有するからである。いくつかの実施態様において吸収体１２の下部シート４１は液体不透過性であることができ、物品の下部シート１１及び物品の内側上部シート２６は液体不透過性でないことができる。それにもかかわらずシート１１，２６及び４１は通気性であることが好ましい。
【００３６】
不織布材料はおむつ及び失禁装置の如き吸収物品の液体透過性上部シート１１として通常用いられる。用いられる一つの材料は例えばポリプロピレン繊維から作られた不織布材料である。他の材料はポリプロピレン繊維とポリエチレン繊維の混合物であることができる。疎水性である材料は通常、それらを親水性にする薬剤で処理される。親水性材料を用いることができることは明らかである。有孔プラスチック材料及び様々な種類の積層体ももちろん本発明の範囲内に含まれる。
【００３７】
図２は、物品の前方部８に位置される前方端部分１７、物品の後方部７に位置される後方端部分１８及びそれらの間に横たわる股部分１９も示す。前方端部分１７は通常の使用中着用者の腹部に対して横たわるか又は着用者の腹部近くに横たわることを意図される。後方端部分１８は通常の使用中着用者の背中の下部に対して横たわるか又は着用者の背中の下部の近くに横たわることを意図される。
【００３８】
前方端部分１７は第一前方弾性システム２０及び第二前方弾性システム２１を有する。第一前方弾性システム２０は本質的に物品の前方横方向側縁３に沿って走る。第二前方弾性システム２１は股部分１９と第一前方弾性システム２０の間の物品の横方向中央線６に対して本質的に平行に走る。
【００３９】
後方端部分１８は第一後方弾性システム２２及び第二後方弾性システム２３を有する。第一後方弾性システム２２は本質的に物品の後方横方向側縁４に沿って走る。第二後方弾性システム２３は股部分１９と第一後方弾性システム２２の間の物品の横方向中央線６に対して本質的に平行に走る。
【００４０】
図２は第一前方及び後方脚弾性システム３０，３１及び第二脚弾性システム３２も示す。
【００４１】
第二脚弾性システム３２は前方端部分１７と後方端部分１８の間で縦方向中央線５と本質的に同じ方向で走る。前記弾性システム３２は着用者の脚に関して最適の適合性を達成するために縦方向中央線５に関してわずかに凹状の形状を有する。第二脚弾性システム３２は吸収体１２（図３ａ及び図３ｂ参照）と共に「ユニット」として適用される。
【００４２】
図２は物品の横方向中央線６に対して本質的に平行に走る第三後方弾性システム３４も示す。第三後方弾性システム３４、吸収体の縦方向側縁１３，１４及び第一後方脚弾性システムは吸収体１２の各側上に液体を一時的に貯蔵するためのポケット３５，３６を形成する。このことは着用者が例えばくしゃみをしたりした結果、尿が多量に排泄されたとき、液体がポケット３５，３６の中に一時的に貯蔵されることができ、かくして吸収体が全ての液体を吸収する時間があるということを意味する。
【００４３】
図２において第二前方弾性システム２１は物品の前方端部分１７における吸収体１２の一つの横方向側縁１５に接するが、横方向側縁１５を通過して下方へ行くこともできる。
【００４４】
図３ａ及び３ｂはどのようにして吸収体１２及び第二脚弾性システム３２が構築されるかを示す。吸収体１２は本質的に液体不透過性であるが通気性であることが好ましい材料からなる吸収体下部シート４１の上に横たわる。吸収体下部シート４１は物品の使用中着用者の皮膚から離れて面することを意図される。
【００４５】
第一及び第二吸収層４２，４３は吸収体下部シート４１に取付けられている。第二吸収層４３と液体透過性上部シート１０の間には液体受入れ層４４があり、その主な機能は液体を迅速に広げて第一及び第二吸収層４２，４３が可能な限り迅速に可能な限り大きな面積にわたって可能な限り多量の液体を吸収できるようにすることである。
【００４６】
上述したような吸収体の構築は当業者には周知であり、より詳細に記述される必要はない。明らかに吸収体は様々な層中に超吸収剤を含むことができるか又は酵素阻害剤の如き他の添加成分及び臭気又はｐＨを制御する物質を含むことができる。
【００４７】
図３ａは第二脚弾性システム３２も示し、これは液体透過性上部シート１０が適用される前に第一及び第二吸収層４２，４３と共に吸収体下部シート４１に適用される。第二脚弾性システムは着用者の脚の周りに最適の適合性及び快適さを与えるために凹状形状で位置された多数の弾性糸からなる。
【００４８】
吸収ユニット全体の凹状又は砂時計型形状は吸収体１２がその液体不透過性下部シート４１及び液体透過性上部シート１０と共に液体不透過性下部シート１１に適用された後に得られる。材料は続いて切り抜かれるか又は穴を開けられて脚開口が形成され、物品は物品の使用中、脚のための穴を形成する特徴的な砂時計形状を獲得する。
【００４９】
示された実施態様において吸収体１２は超吸収剤粒子として知られるものの添加ありの又はなしのセルロース毛羽からなる。しかし、吸収体はおむつ、パンツ型おむつ、失禁装置、パンティライナー又はそれらの同類物の如き吸収物品のための吸収体において用いられるいかなる材料からなることもできる。吸収体１２は二以上の層の吸収材料からなることもでき、多数の層の液体受入れ材料を含むこともでき、かくして放出された液体を液体受入れ上部シート１０から離れるように迅速に案内することができる。吸収体１２に含まれる各々の層はもちろん超吸収剤を含むことができる。
【００５０】
図４は物品の縦方向中央線５及び横方向中央線６によって規定される物品の一部を示す。この図は一つの縦方向側縁１の一部及び後方横方向側縁４、縦方向中央線５及び横方向中央線６の一部も示す。物品の横方向中央線６と物品の後方横方向側縁４の間に延びる後方部７は図において印を付けられている。内側液体不透過性上部シート２６の一部、縦方向側縁１４の一つ及び後方横方向側縁１６を有する吸収体１２の一部、及び液体透過性上部シート１０の一部も示されている。
【００５１】
図４における広げられた状態の物品は物品の後方部７に位置された後方端部分１８の一部及び股部分１９の後方部も有する。第一後方弾性システム２２の一部及び第二後方弾性システム２３の一部も示されている。
【００５２】
図４は第一後方脚弾性システム３１の一部、第二脚弾性システム３２の一部、第三後方弾性システム３４の一部及びポケット３５も示す。
【００５３】
この実施態様において第一後方脚弾性システム３１の横部分（これは物品の横方向中央線６と本質的に同じ方向に走りかつ股部分１９と交差する）と第三後方弾性システム３４の間の距離は約５ｃｍであり、図においてＡによって印を付けられている。
【００５４】
股部分１９の後方部における物品の縦方向中央線５から最も遠くに離れて位置される吸収体１２の縦方向側縁１４上の点Ｂ１と点Ｂ１から物品の横方向中央線６に対して平行な平面上の第一後方脚弾性システム３１の中央に位置された点Ｂ２の間の距離Ｂは約１０ｃｍである。従って比Ａ／Ｂは約０．５である。
【００５５】
他の実施形態（図示せず）においては比Ａ／Ｂは０．３〜０．７であり、好ましくは０．４〜０．６である。
【図面の簡単な説明】
【００５６】
【図１】液体不透過性側に向かって見た伸張状態におけるパンツ型の失禁装置を示す。
【図２】液体透過性側に向かって見た図１の失禁装置を示す。
【図３】脚弾性体及び吸収体の構造を示す。
【図４】図１及び２における失禁装置の部分図を示す。
【図１】
2005507287.tif 000003
【図２】
2005507287.tif 000004
【図３】
2005507287.tif 000005
【図４】
2005507287.tif 000006
【国際公開パンフレット】
2005507287.tif 000007
2005507287.tif 000008
2005507287.tif 000009
2005507287.tif 000010
2005507287.tif 000011
2005507287.tif 000012
2005507287.tif 000013
2005507287.tif 000014
2005507287.tif 000015
2005507287.tif 000016
2005507287.tif 000017
2005507287.tif 000018
2005507287.tif 000019
2005507287.tif 000020
2005507287.tif 000021
2005507287.tif 000022
2005507287.tif 000023
2005507287.tif 000024
2005507287.tif 000025
2005507287.tif 000026
2005507287.tif 000027
2005507287.tif 000028
2005507287.tif 000029
【国際調査報告】
2005507287.tif 000030
2005507287.tif 000031
2005507287.tif 000032
2005507287.tif 000033
2005507287.tif 000034